(57)【要約】  【課題】臀部における内装体の突出を防止し、フィット性及び見栄えを向上する。  【解決手段】内装体２０の前端部が腹側外装シート１２Ｆの幅方向中央部内面に連結されるとともに、後端部が背側外装シート１２Ｂの幅方向中央部内面に連結され、腹側外装シート１２Ｆと背側外装シート１２Ｂとが股間側で連続していないパンツ型紙おむつにおいて、吸収コア５６の前端部５６Ｎ及び後端部５６Ｂの幅Ｗ１は１００〜２００ｍｍとされており、括れ部５６Ｎは、前後方向中間の所定部位に幅５０〜１００ｍｍの最深部５６ｄを有し、且つこの最深部５６ｄから前側及び後側に向かうにつれてそれぞれ吸収コア前端部５６Ｆの幅及び吸収コア後端部５６Ｂの幅Ｗ１まで連続的又は段階的に幅が広くなる形状をなし、最深部５６ｄは、前後方向中央を基準として、その前後それぞれ１５ｍｍの範囲内に位置し、括れ部５６Ｎは、前後方向中央を基準として前側に１００ｍｍ以上及び後側に４０ｍｍ以上延在しているものとする。【選択図】図６
2008253285.tif 000002
【特許請求の範囲】
【請求項１】
装着者の胴回りのうち腹側を覆う腹側外装シートと背側を覆う背側外装シートとからなり、腹側外装シートの上端縁と背側外装シートの上端縁とを揃えた状態で、腹側外装シートの幅方向両側縁の接合部と背側外装シートの幅方向両側縁の接合部とが接合されて形成された筒状の胴回り部と、
前端部が前記腹側外装シートの幅方向中央部内面に連結されるとともに、後端部が前記背側外装シートの幅方向中央部内面に連結され、且つ背側から股間部を通り腹側までを覆う内装体とを備え、
前記内装体は、液透過性表面シートと、繊維集合体により形作られた吸収コアとを備えており、
前記腹側外装シートと背側外装シートとが股間側で連続しておらず、離間されているパンツ型使い捨ておむつにおいて、
前記吸収コアは、前端部、後端部及びこれらの間に位置し、前端部及び後端部と比べて幅が狭い括れ部とを有しており、
前記吸収コア前端部及び吸収コア後端部の幅は１００〜２００ｍｍとされており、
前記括れ部は、前後方向中間の所定部位に幅５０〜１００ｍｍの最深部を有し、且つこの最深部から前側及び後側に向かうにつれてそれぞれ前記吸収コア前端部の幅及び吸収コア後端部の幅まで連続的又は段階的に幅が広くなる形状をなしており、
前記最深部は、前後方向中央を基準として、その前後それぞれ１５ｍｍの範囲内に位置しており、
前記括れ部は、前後方向中央を基準として、その前側に１００ｍｍ以上及びその後側に４０ｍｍ以上延在している、
ことを特徴とするパンツ型使い捨ておむつ。
【請求項２】
前記腹側外装シートの下端は前記括れ部の前端近傍に位置し、且つ前記背側外装シートの下端は前記括れ部の後端近傍に位置している、請求項１記載のパンツ型使い捨ておむつ。
【請求項３】
前記括れ部の両側縁の前端における接線方向と前後方向との交差角度をθ１とし、前記括れ部の両側縁の後端における接線方向と前後方向との交差角度をθ２としたとき、１０度≦θ１≦θ２≦６０度の大小関係を満足するように、前記括れ部の形状が形成されている、請求項２記載のパンツ型使い捨ておむつ。
【請求項４】
前記括れ部の両側縁は、前後方向後端側に位置する後端側円弧状部分と、前後方向前端側に位置する前端側円弧状部分と、これらの間にあって前記後端側円弧状部分の前端と前記前端側円弧状部分の後端とを結ぶ直線状部分とからなり、
前記後端側円弧状部分の曲率半径が前端側円弧状部分よりも大きく、前記直線部分は前後方向前側に向かうにつれて括れ部の幅が広くなるように傾斜されており、且つ前記後端側円弧状部分の前後方向中間位置に最深部が位置されている、請求項３記載のパンツ型使い捨ておむつ。
【発明の詳細な説明】
【技術分野】
【０００１】
本発明は、外装シートが腹側及び背側の２つに分割されているパンツ型使い捨ておむつに関するものである。
【背景技術】
【０００２】
一般的なパンツ型使い捨ておむつは、前身頃の両側部と後身頃の両側部とがそれぞれ接合されることにより、両側に接合部が形成されるとともに、胴開口部及び左右一対の脚開口部が形成された外装シートと、その内面の幅方向中央に沿って腹側から股間を通り背側までの範囲に固定された内装体とを備えているものであり、装着者の両足を胴開口部に通して脚開口部に挿入することにより装着するものである。内装体は、液透過性表面シートと、その外面側に配された、繊維集合体により形作られた吸収コアとを備えている。繊維集合体としては、パルプ繊維を積繊することにより形成されたものが汎用されている。
このような一体的な外装シートを用いる種類に対して、近年、外装シートを腹側及び背側の２つに分割した２分割タイプともいうべき使い捨ておむつが提案されている（例えば特許文献１参照）。２分割タイプでは、製造時に脚開口部を打ち抜く際のトリム（余分な廃棄部分）が少ないことや、腹側外装シート及び背側外装シートの各素材を個別に選択できる利点がある。
【特許文献１】特開２００５−０２７８３９号公報
【発明の開示】
【発明が解決しようとする課題】
【０００３】
しかし、２分割タイプにおいて、脚周りのへのフィット性を高めるために吸収コアの前後方向中間部を脚周りに沿って括れさせた場合、装着者が歩行を繰り返すことにより内装体が背側に移動することにより、臀部を覆う部分がアヒルの尾のように突出し、フィット性及び見栄えを悪化させる現象が発生するという問題点があった。
そこで、本発明の主たる課題は、臀部における内装体の突出を防止し、もってフィット性及び見栄えを向上することにある。
【課題を解決するための手段】
【０００４】
上記課題を解決した本発明は次記の通りである。
＜請求項１記載の発明＞
装着者の胴回りのうち腹側を覆う腹側外装シートと背側を覆う背側外装シートとからなり、腹側外装シートの上端縁と背側外装シートの上端縁とを揃えた状態で、腹側外装シートの幅方向両側縁の接合部と背側外装シートの幅方向両側縁の接合部とが接合されて形成された筒状の胴回り部と、
前端部が前記腹側外装シートの幅方向中央部内面に連結されるとともに、後端部が前記背側外装シートの幅方向中央部内面に連結され、且つ背側から股間部を通り腹側までを覆う内装体とを備え、
前記内装体は、液透過性表面シートと、繊維集合体により形作られた吸収コアとを備えており、
前記腹側外装シートと背側外装シートとが股間側で連続しておらず、離間されているパンツ型使い捨ておむつにおいて、
前記吸収コアは、前端部、後端部及びこれらの間に位置し、前端部及び後端部と比べて幅が狭い括れ部とを有しており、
前記吸収コア前端部及び吸収コア後端部の幅は１００〜２００ｍｍとされており、
前記括れ部は、前後方向中間の所定部位に幅５０〜１００ｍｍの最深部を有し、且つこの最深部から前側及び後側に向かうにつれてそれぞれ前記吸収コア前端部の幅及び吸収コア後端部の幅まで連続的又は段階的に幅が広くなる形状をなしており、
前記最深部は、前後方向中央を基準として、その前後それぞれ１５ｍｍの範囲内に位置しており、
前記括れ部は、前後方向中央を基準として、その前側に１００ｍｍ以上及びその後側に４０ｍｍ以上延在している、
ことを特徴とするパンツ型使い捨ておむつ。
【０００５】
（作用効果）
本発明のパンツ型使い捨ておむつでは、図６に示すように、
（い）吸収コア５６の括れ部５６Ｎの前後長が広く確保されており、括れ部５６Ｎによって装着者の脚１００の前後動（図６中に二点鎖線の白抜き矢印で示した）が妨げられ難くなるため、装着者の脚１００が吸収コアに５６Ｎ対して前後方向の力を及ぼし難くなるとともに、
（ろ）括れ部５６Ｎの最深部の前後方向位置が、装着者の両脚１００の間隔が最も狭くなる位置よりも後側にずれているため、装着者の脚１００が後方向に動いた際に吸収コア５６Ｎに対して後方向の力が加わり難くなる（すなわち、装着者の脚１００が前後に動いた際に吸収コア５６Ｎに対して前方向に加わる力が、装着者の脚１００が後方向に動いた際に吸収コア５６Ｎに対して後方向に加わる力よりも大きくなる）。
その結果、本発明の紙おむつでは、装着者が歩行を繰り返したとしても股間部において内装体２０に対して後方向の力が加わり難くなり、内装体２０が背側に移動し難くなることによって、臀部を覆う部分がアヒルの尾のように突出し難くなり、フィット性及び見栄えの悪化が防止される。
【０００６】
＜請求項２記載の発明＞
前記腹側外装シートの下端は前記括れ部の前端近傍に位置し、且つ前記背側外装シートの下端は前記括れ部の後端近傍に位置している、請求項１記載のパンツ型使い捨ておむつ。
【０００７】
（作用効果）
本項記載のように構成されていると、腹側外装シート及び背側外装シートによって装着者の脚の前後動が妨げられ難くなるため、装着者の脚の前後動が外装シートを介して内装体に及び難くなる。よって、前述した本発明の効果がより一層のものとなる。
【０００８】
＜請求項３記載の発明＞
前記括れ部の両側縁の前端における接線方向と前後方向との交差角度をθ１とし、前記括れ部の両側縁の後端における接線方向と前後方向との交差角度をθ２としたとき、１０度≦θ１≦θ２≦６０度の大小関係を満足するように、前記括れ部の形状が形成されている、請求項２記載のパンツ型使い捨ておむつ。
【０００９】
（作用効果）
交差角度が浅過ぎると、最深部の位置を本発明の位置に確保し難くなるとともに、最深部近傍における吸収コア側縁の角度変化が急激になり、装着感が悪化するおそれがある。また、交差角度が深過ぎると吸収コアの幅が急激に狭くなることにより装着感が悪化するおそれがある。よって、本項記載のように構成することが望ましい。
【００１０】
＜請求項４記載の発明＞
前記括れ部の両側縁は、前後方向後端側に位置する後端側円弧状部分と、前後方向前端側に位置する前端側円弧状部分と、これらの間にあって前記後端側円弧状部分の前端と前記前端側円弧状部分の後端とを結び且つこの前端側円弧状部分の後端における接線方向に沿って延在する直線状部分とからなり、
前記後端側円弧状部分の曲率半径が前端側円弧状部分よりも大きく、前記直線部分は前後方向前側に向かうにつれて括れ部の幅が広くなるように傾斜されており、且つ前記後端側円弧状部分の前後方向中間位置に最深部が位置されている、請求項３記載のパンツ型使い捨ておむつ。
【００１１】
（作用効果）
本項記載の吸収コアの括れ部は、二段階の括れを有するようになる。すなわち、本項記載の吸収コアの括れ部は、円滑かつ緩やかに幅が狭まる前端側円弧状部分及び直線状部分と、直線状部分の延長線よりも深くまで括れる後端側円弧状部分とを有し、後端側円弧状部分の前後方向中間位置に最深部が位置する。したがって、装着者の脚が前側に動いた際には、脚が円滑かつ緩やかに幅が狭まる前端側円弧状部分及び直線状部分に当たり、脚の移動力が弱く且つ緩やかに内装体に対して作用するようになる。一方、装着者の脚が後側に動いた際には、後端側円弧状部分が一段階深く形成されているため、脚が後端側円弧状部分に当たり難くなり、内装体に対して作用する力は、脚が前側に移動する場合と比べて格段に弱くなる。よって、本項記載の発明では、前述の本発明の効果がより一層のものとなる。
【発明の効果】
【００１２】
以上のとおり、本発明によれば、臀部における内装体の突出が防止され、もってフィット性及び見栄えが向上する等の利点がもたらされる。
【発明を実施するための最良の形態】
【００１３】
以下、本発明を図面に示す実施の形態によってさらに詳説する。
＜第１の実施形態＞
図１〜図８は、本発明に係るパンツ型使い捨ておむつの一例を示している。図１の符号において、「前後方向」とは、腹側と背側を結ぶ方向を意味し、「幅方向」とは前後方向と直交する方向を意味し、「上下方向」とは胴回り方向と直交する方向、換言すればウエスト開口部ＷＯ側と股間部側とを結ぶ方向を意味する。
このパンツ型使い捨ておむつ１０は、装着者の胴回りのうち腹側を覆う腹側外装シート１２Ｆと背側を覆う背側外装シート１２Ｂとを有しており、腹側外装シート１２Ｆの幅方向両側縁の接合部１２Ａと背側外装シート１２Ｂの幅方向両側縁の接合部１２Ａとが、ヒートシールや超音波溶着等により接合されて筒状の胴回り部１２が形成されるように構成されている。図示形態のように、背側外装シート１２Ｂが接合部１２Ａよりも下側に延出している場合には、この部分までを含む上下方向範囲に一体的にヒートシール等の加工を施した延出溶着部を設けることができる。延出溶着部を設けることにより、後述する背側延出部１４の第２の細長状弾性伸縮部材１６の引き込みを防止することができる。この場合、脇部の破りやすさを考慮して、接合部１２Ａは小さな溶着部の集合からなり、接合部１２Ａにおける溶着面積の比率が低い接合パターンとすることが一般的であるが、延出溶着部では破りやすさを考慮する必要が無いため、溶着パターンは接合部１２Ａよりも溶着面積の比率を高くすることにより第２の細長状弾性伸縮部材１６が確実に溶着固定されるようにしてもよい。また、延出溶着部は臀部カバー部１４Ｃの縁部をカーブしたラインで溶着し、臀部カバー部１４Ｃの第２の細長状弾性伸縮部材１６の引き込みを防止することもできる。
また、胴回り部１２における腹側外装シート１２Ｆの幅方向中央部内面に内装体２０の前端部がホットメルト接着剤等により連結されるとともに、背側外装シート１２Ｂの幅方向中央部内面に内装体２０の後端部がホットメルト接着剤等により連結されており、腹側外装シート１２Ｆと背側外装シート１２Ｂとが股間側で連続しておらず、離間されている。この離間距離Ｙは１５０〜２５０ｍｍ程度とすることができる。
図７及び図８からも判るように、胴回り部１２の上部開口は、装着者の胴を通すウエスト開口部ＷＯとなり、内装体２０の幅方向両側において胴回り部１２の下縁および内装体２０の側縁によりそれぞれ囲まれる部分が脚を通す脚開口部ＬＯとなる。各接合部１２Ａを剥がして展開した状態では、図１に示すように砂時計形状をなす。内装体２０は、背側から股間部を通り腹側までを覆うように延在するものであり、排泄物を受け止めて液分を吸収し保持する部分であり、胴回り部１２は内装体２０を装着者に対して支持する部分である。
【００１４】
（外装シート）
腹側外装シート１２Ｆ及び背側外装シート１２Ｂは、図４及び図５にも示すように不織布等のシートＳ１，Ｓ２を２枚貼り合せてなり、胴回りに対するフィット性を高めるために、両シートＳ１，Ｓ２間に糸ゴム等の細長状弾性伸縮部材１５〜１９が所定の伸張率で設けられているものである。不織布を用いる場合、その坪量は１０〜３０ｇ／ｍ2程度とするのが好ましい。不織布は、その原料繊維が何であるかは特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。また、細長状弾性伸縮部材１５〜１８，１９Ｔ，１９Ｕとしては、合成ゴムを用いても、天然ゴムを用いても良い。
より詳細には、背側外装シート１２Ｂは、接合部１２Ａと同じ上下方向範囲を占める背側本体部１３と、この背側本体部１３の下側に延出する背側延出部１４とを有している。背側延出部１４は、吸収性本体２０と重なる幅方向中央部１４Ｍと、その両側に延出した臀部カバー部１４Ｃとを有している。
【００１５】
背側延出部１４の形状は適宜定めることができるが、図示例では、背側延出部１４の上端部は、背側本体部１３と同幅で背側本体部１３の下側に延出されており、その下側は股間側に近づくにつれて幅が狭められている。背側本体部１３と同幅の部分は省略することもできる。このように構成されていると、臀部カバー部１４Ｃの幅方向外側の縁１４ｅが、股間側に近づくにつれて吸収性本体２０側に近づくような直線状または曲線状をなすようになり、臀部を覆い易い形状となる。
背側延出部１４の寸法は適宜定めることができるが、図６に示すように、臀部カバー部１４Ｃの幅方向長さ１４ｘ（臀部カバー部１４Ｃの幅方向外側の縁１４ｅと吸収性本体２０の側縁との幅方向の最大離間距離）が８０〜１６０ｍｍであり、臀部カバー部１４Ｃの上下方向の長さ１４ｙ（延出長さ）が３０〜８０ｍｍであると、より好ましい。また、背側延出部１４の幅方向に最も広い部位と上下方向に最も広い部位により定まる四角形の面積をＳとすると、背側延出部１４の面積はＳに対して２０〜８０％、特に４０〜６０％程度であると、臀部の外観および装着感に優れるため、好ましい。
【００１６】
背側本体部１３は、上下方向において概念的に上端部（ウエスト部）Ｗと、これよりも下側の下側部分Ｕとに分けることができ、その範囲は製品のサイズによって異なるが、一般に、上端部Ｗの上下方向長さは１５〜８０ｍｍ、下側部分Ｕの上下方向長さは３５〜２２０ｍｍとすることができる。
背側本体部１３の上端部（ウエスト部）Ｗには、幅方向全体にわたり連続するように、複数の背側ウエスト部弾性伸縮部材１７が上下方向に間隔を空けて、かつ所定の伸張率で幅方向に沿って伸張された状態で固定されている。また、背側ウエスト部弾性伸縮部材１７のうち、背側本体部１３の下側部分Ｕに隣接する領域に配設される１本または複数本については、吸収コア２０と重なっていてもよいし、吸収性本体２０と重なる幅方向中央部を除いてその幅方向両側にそれぞれ設けてもよい。この背側ウエスト弾性伸縮部材１７としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、４〜１２ｍｍの間隔で３〜２２本程度、それぞれ伸張率１５０〜４００％、特に２２０〜３２０％程度で固定するのが好ましい。また、背側ウエスト部弾性伸縮部材１７は、その全てが同じ太さと伸張率にする必要はなく、例えば背側ウエスト部の上部と下部で弾性伸縮部材の太さと伸張率が異なるようにしてもよい。この背側ウエスト部弾性伸縮部材１７は、第１及び第２の細長状弾性伸縮部材１５，１６に対して太さや伸張率の大小関係無く、自由に定めることができる。
また、背側本体部１３の下側部分Ｕにおいては、吸収性本体２０と重なる幅方向中央部を除いて、その上側および幅方向両側の各部位に、幅方向全体にわたり連続するように、複数の第１の細長状弾性伸縮部材１５が上下方向に間隔を空けて、かつ所定の伸張率で幅方向に沿って伸張された状態で固定されている。
【００１７】
第１の細長状弾性伸縮部材１５としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、１〜１５ｍｍ、特に３〜８ｍｍの間隔で５〜３０本程度、それぞれ伸張率２００〜３５０％、特に２４０〜３００％程度で固定するのが好ましい。
また、背側延出部１４においては、吸収性本体２０と重なる幅方向中央部を除いて、その幅方向両側の各部位に、幅方向全体にわたり（少なくとも臀部カバー部１４Ｃ全体にわたり）連続するように、複数の第２の細長状弾性伸縮部材１６が上下方向に間隔を空けて、かつ所定の伸張率で幅方向に沿って伸張された状態で固定されている。
第２の細長状弾性伸縮部材１６としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、５〜４０ｍｍ、特に５〜２０ｍｍの間隔で２〜１０本程度、それぞれ伸張率１５０〜３００％、特に１８０〜２６０％で固定するのが好ましい。
【００１８】
一方、腹側外装シート１２Ｆは背側外装シート１２Ｂの背側本体部１３と基本的に同様の腹側本体部（接合部１２Ａと同じ上下方向範囲を占める部分）のみからなるものであり、胴回り方向に沿って延在する矩形状をなし、背側外装シート１２Ｂのような背側延出部１４を有していないものである。
すなわち、腹側外装シート（腹側本体部）１２Ｆの上端部（ウエスト部）Ｗおよび下側部分Ｕのうち、上端部Ｗには、幅方向全体にわたり連続するように、複数の腹側ウエスト部弾性伸縮部材１８が上下方向に間隔を空けて、かつ所定の伸張率で幅方向に沿って伸張された状態で固定されている。この腹側ウエスト部弾性伸縮部材１８は、背側ウエスト部弾性伸縮部材１７に対して、本数、太さ、伸張率、間隔、及び上下方向配置をできるだけ近づけるのが好ましいが、異ならしめることもでき、異ならしめる場合、本数の差は１０本以下、好ましくは５本以下、太さの差は１８８０ｄｔｅｘ以下、好ましくは４７０ｄｔｅｘ以下、伸張率の差は１００％以下、好ましくは４０％以下、間隔の差は１０ｍｍ以下、好ましくは５ｍｍ以下である。
【００１９】
また、腹側外装シート１２Ｆ（腹側本体部）の下側部分Ｕにおいては、吸収性本体２０と重なる幅方向中央部を除いて、その上側および幅方向両側の各部位に、幅方向全体にわたり連続するように、複数の第３の細長状弾性伸縮部材１９が上下方向に間隔を空けて、かつ所定の伸張率で幅方向に沿って伸張された状態で固定されている。第３の細長状弾性伸縮部材１９の上下方向配設範囲は、下側部分の一部としても良いが、実質的に全体（全体に伸縮力が作用する範囲）とするのが好ましい。
第３の細長状弾性伸縮部材１９としては、第１の細長状弾性伸縮部材１５と、本数、太さ、伸張率、間隔、及び上下方向配置をできるだけ近づけるのが好ましいが、異ならしめることもでき、異ならしめる場合、本数の差は１０本以下、好ましくは５本以下、太さの差は１８８０ｄｔｅｘ以下、好ましくは４７０ｄｔｅｘ以下、伸張率の差は１００％以下、好ましくは４０％以下、間隔の差は１０ｍｍ以下、好ましくは５ｍｍ以下である。
【００２０】
図示形態の腹側外装シート１２Ｆは、接合部１２Ａと同じ上下方向範囲を占める部分のみからなるものとしたが、背側と同様に、接合部１２Ａと同じ上下方向範囲を占める腹側本体部と、この腹側本体部の下側に延出する腹側延出部とからなる構成とすることもできる。これにより、腹側外装シート１２Ｆの脚周り形状を鼠蹊部に沿ってフィットする形状とすることができる。この場合、腹側延出部の面積は、背側延出部の面積の１０〜８０％であるのが好ましく、２０〜５０％であるとより好ましい。腹側延出部が過度に大きいと、かえってフィット性を損なうため好ましくない。
他方、図示のように、第１及び第２の細長状弾性伸縮部材１５及び１６が、吸収性本体２０と重なる幅方向中央部を除いてその幅方向両側にそれぞれ設けられている形態には、幅方向両側にのみ弾性伸縮部材が存在する形態の他、吸収性本体２０を横切ってその幅方向一方側から他方側まで弾性伸縮部材が存在しているが、吸収性本体２０と重なる幅方向中央部では弾性伸縮部材が切断され、伸縮力が作用しない（実質的には、弾性伸縮部材を設けないことに等しい）ように構成されている形態も含まれる。また、本発明では、背側本体部１３および背側延出部１４の幅方向全体にわたり伸縮力が作用するように、第１及び第２の細長状弾性伸縮部材１５，１６を、吸収性本体２０を横切ってその幅方向一方側から他方側まで設けることもできる。
【００２１】
（内装体）
内装体２０は任意の形状を採ることができるが、図示の形態では長方形である。内装体２０は、図３に示されるように、身体側となる表面シート３０と、液不透過性シートと、これらの間に介在された吸収要素５０とを備えている。液不透過性シート７０の裏面側には、内装体２０の裏面全体を覆うように、あるいは腹側外装シート１２Ｆと背側外装シート１２Ｂとの間に露出する部分全体を覆うように、股間部外装シート１２Ｍを固定することもできる。また、表面シート３０を透過した液を速やかに吸収要素５０へ移行させるために、表面シート３０と吸収要素５０との間に、中間シート（セカンドシート）４０を設けることができる。さらに、吸収部２０の両脇に排泄物が漏れるのを防止するために、内装体２０の両側に、身体側に起立するバリヤーカフス６０，６１を設けることができる。なお、図示しないが、内装体２０の各構成部材は、ホットメルト接着剤などのベタ、ビードまたはスパイラル塗布などにより、適宜相互に固定することができる。また、内装体２０は、メカニカルファスナーや粘着材を用い、外装シート２０に対して着脱自在に取り付けることもできる。
【００２２】
（表面シート）
表面シート３０は、液を透過する性質を有する。したがって、表面シート３０の素材は、この液透過性を発現するものであれば足り、例えば、有孔又は無孔の不織布や、多孔性プラスチックシートなどを例示することができる。また、このうち不織布は、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。例えば、柔軟性、ドレープ性を求めるのであれば、スパンボンド法、スパンレース法が、嵩高性、ソフト性を求めるのであれば、エアスルー法、ポイントボンド法、サーマルボンド法が、好ましい加工方法となる。
また、表面シート３０は、１枚のシートからなるものであっても、２枚以上のシートを貼り合せて得た積層シートからなるものであってもよい。同様に、表面シート３０は、平面方向に関して、１枚のシートからなるものであっても、２枚以上のシートからなるものであってもよい。
バリヤーカフス６０，６１を設ける場合、表面シート３０の両側部は、液不透過性シート７０とバリヤーカフス６０，６１との間を通して、吸収要素５０の裏側まで回りこませ、液の浸透を防止するために、液不透過性シート７０及びバリヤーカフス６０，６１に対してホットメルト接着剤等により接着するのが好ましい。
【００２３】
（中間シート）
表面シート３０を透過した液を速やかに吸収コアへ移行させるために、表面シート３０より液の透過速度が速い、通常「セカンドシート」と呼ばれる中間シート４０を設けることができる。この中間シート４０は、液を速やかに吸収コアへ移行させて吸収コアによる吸収性能を高めるばかりでなく、吸収した液の吸収コアからの「逆戻り」現象を防止し、表面シート３０上を常に乾燥した状態とすることができる。中間シート４０は省略することもできる。
中間シート４０としては、表面シート３０と同様の素材や、スパンレース、パルプ不織布、パルプとレーヨンとの混合シート、ポイントボンド又はクレープ紙を例示できる。特にエアスルー不織布及びスパンボンド不織布が好ましい。
図示の形態の中間シート４０は、吸収コア５６の幅より短く中央に配置されているが、全幅にわたって設けてもよい。中間シート４０の長手方向長さは、吸収コア５６の長さと同一でもよいし、液を受け入れる領域を中心にした短い長さ範囲内であってもよい。中間シート４０の代表的な素材は液の透過性に優れる不織布である。
【００２４】
（液不透過性シート）
液不透過性シート７０の素材は、特に限定されるものではないが、例えば、ポリエチレンやポリプロピレン等のオレフィン系樹脂や、ポリエチレンシート等に不織布を積層したラミネート不織布、防水フィルムを介在させて実質的に不透液性を確保した不織布（この場合は、防水フィルムと不織布とで液不透過性シートが構成される。）などを例示することができる。もちろん、このほかにも、近年、ムレ防止の観点から好まれて使用されている不透液性かつ透湿性を有する素材も例示することができる。この不透液性かつ透湿性を有する素材のシートとしては、例えば、ポリエチレンやポリプロピレン等のオレフィン系樹脂中に無機充填剤を混練して、シートを成形した後、一軸又は二軸方向に延伸して得られた微多孔性シートを例示することができる。さらに、マイクロデニール繊維を用いた不織布、熱や圧力をかけることで繊維の空隙を小さくすることによる防漏性強化、高吸水性樹脂または疎水性樹脂や撥水剤の塗工といった方法により、防水フィルムを用いずに液不透過性としたシートも、液不透過性シート７０として用いることができる。
液不透過性シート７０は、防漏性を高めるために、吸収要素５０の両側を回りこませて吸収要素５０の表面シート３０側面の両側部まで延在させるのが好ましい。
また、液不透過性シート７０の内面または外面には、印刷や着色によるデザインを施しても良い。さらに液不透過性シート７０の外側に、股間部外装シート１２Ｍとは別部材の、印刷または着色を施したデザインシートを貼り付けても良い。また、液不透過性シート７０の内側に、液分の吸収により色が変化する排泄インジケータ８０を設けることができる。
【００２５】
（バリヤーカフス）
バリヤーカフス６０，６１は、内装体２０の両側部に沿って前後方向全体にわたり延在する帯状部材であり、表面シート３０上を伝わって横方向に移動する尿や軟便を阻止し、横漏れを防止するために設けられているものである。
本実施の形態では、図３及び図４にも示すように、内装体２０の左右各側において二重にバリヤーカフス６０，６１が設けられている。第１のバリヤーカフス６１は、内装体２０の側部から幅方向中央側に斜めに起立するものであり、第２のバリヤーカフス６０は、第１のバリヤーカフス６１の幅方向外側において内装体２０の側部から起立するように設けられ、付け根側の部分は幅方向中央側に向かって斜めに起立し、中間部より先端側の部分は幅方向外側に向かって斜めに起立するものである。
より詳細には、第１のバリヤーカフス６１は、内装体２０の前後方向長さに等しい長さを有する帯状のバリヤーシート６２を幅方向に折り返して二つに折り重ねるとともに、折り返し部分及びその近傍のシート間に、細長状弾性伸縮部材６３を長手方向に沿って伸張状態で、幅方向に間隔をあけて複数本固定してなるものである。そして、第１のバリヤーカフス６１のうち幅方向において折り返し部分と反対側の部分は内装体２０に対する取付部分６５であり、表面シート３０の身体側面における幅方向側部から液不透過性シート７０の裏面における幅方向側部まで回り込み、且つその範囲にホットメルト接着剤等により接着固定されている。また、この取付部分６５以外の突出部分６６（折り返し部分側の部分）については幅方向中央側に延出されるとともに、突出部分６６の前後方向両端部は表面シート３０表面にホットメルト接着剤６７等により固定され、前後方向中間部は非固定の自由部分とされている。バリヤーシート６２としては撥水性不織布等を用いることができ、細長状弾性伸縮部材６３としては糸ゴム等を用いることができる。
第２のバリヤーカフス６０も、第１のバリヤーカフス６１と基本的に同様の構造を有するものであるが、取付部分６５が第１のバリヤーシート６１の外面に接着固定される点、突出部分６６が幅方向中間を境に幅方向外側に折り返されており、この折り返し部分より先端側に細長状弾性伸縮部材６３が設けられている点、及び突出部分６６の前後方向両端部においては、付け根側部分は第１のバリヤーカフス６１に接着固定され、先端側部分は付け根側部分に接着固定される点で異なるものである。
かくして構成された第１及び第２のバリヤーカフス６０，６１では、細長状弾性伸縮部材６３の収縮力が前後方向両端部を近づけるように作用するが、突出部分６６のうち前後方向両端部が起立しないように固定されるのに対して、それらの間は非固定の自由部分とされているため、自由部分のみが図３に示すように表面シート３０の身体側に起立するようになる。
なお、図示形態と異なり、第１及び第２のバリヤーカフス６０，６１のいずれか一方のみを設けることもできる。
【００２６】
（吸収要素）
吸収要素５０は、吸収コア５６と、この吸収コア５６の少なくとも裏面及び側面を包む包被シート５８とを有する。包被シート５８は省略することもできる。
【００２７】
（吸収コア）
吸収コア５６は、綿状パルプ等の短繊維を積繊したものの他、セルロースアセテート等のフィラメントの集合体からなるもの等も使用できる。吸収コア５６中には高吸収性ポリマー粒子を分散保持させるのが好ましい。
特徴的には、図６にも示すように、吸収コア５６は、前端部５６Ｆ、後端部５６Ｂ及びこれらの間に位置し、前端部５６Ｆ及び後端部５６Ｂと比べて幅が狭い括れ部５６Ｎとを有している。括れ部５６Ｎは、前後方向中央を基準として前側の前後方向長さＬ３＋Ｌ４が１００ｍｍ以上、好ましくは１２０〜２４０ｍｍとされ、後側の前後方向長さＬ５は４０ｍｍ以上、好ましくは６０〜１２０ｍｍとされる。括れ部５６Ｎ全体の前後方向長さＬ８は好ましくは１４０ｍｍ以上、特に好ましくは１８０〜３６０ｍｍとされる。
吸収コア前端部５６Ｆの前後方向長さＬ２は、好ましくは１０〜１５０ｍｍとされ、特に好ましくは２０〜５０ｍｍとされる。また、吸収コア後端部５６Ｂの前後方向長さＬ６は、好ましくは７０〜２８０ｍｍとされ、特に好ましくは１００〜１８０ｍｍとされる。
吸収コア前端部５６Ｆ及び吸収コア後端部５６Ｂの幅Ｗ１は１００〜２００ｍｍ、好ましくは１４０〜１８０ｍｍとされる。また、括れ部５６Ｎは、前後方向中間の所定部位に幅の最も狭い最深部５６ｄを有し、且つこの最深部５６ｄから前側及び後側に向かうにつれてそれぞれ吸収コア前端部５６Ｆの幅及び吸収コア後端部５６Ｂの幅Ｗ１まで連続的（段階的であっても良い）に幅が広くなる形状をなしている。最深部５６ｄにおける吸収コア５６の幅Ｗ２は５０〜１００ｍｍ、好ましくは７０〜９０ｍｍとされる。
また特徴的には、最深部５６ｄの前後方向位置とおむつの前後方向中央ＣＬとの前後方向の離間距離は、前後それぞれ１５ｍｍ以内、より好ましくは前後それぞれ５ｍｍ以内とされる。
【００２８】
吸収コア５６がこのように形成されていると、前述した原理により、装着者が歩行を繰り返したとしても股間部において内装体２０に対して後方向の力が加わり難くなり、内装体２０が背側に寄せられ難くなることによって、臀部を覆う部分がアヒルの尾のように突出し難くなり、フィット性及び見栄えの悪化が防止される。
特にこの効果をより一層のものとするために、腹側外装シート１２Ｆの下端を吸収コア５６の括れ部５６Ｎの前端近傍に位置させ、且つ背側外装シート１２Ｂの下端を吸収コア５６の括れ部５６Ｎの後端近傍に位置させるのは好ましい。このように構成されていると、腹側外装シート１２Ｆ及び背側外装シート１２Ｂによって装着者の脚の前後動が妨げられ難くなるため、装着者の脚の前後動が外装シート１２Ｆ，１２Ｂを介して内装体２０に及び難くなる。また、脚周りに沿うフィット性が高まる。
【００２９】
また、括れ部５６Ｎの形状は、括れ部５６Ｎの両側縁の前端における接線方向と前後方向との交差角度をθ１とし、括れ部５６Ｎの両側縁の後端における接線方向と前後方向との交差角度をθ２としたとき、１０度≦θ１≦θ２≦６０度の大小関係を満足するものであると好ましい。より好ましい大小関係は、１５度≦θ１≦θ２≦４５度である。また、θ１＜θ２であると、より好ましい。
これらの交差角度θ１，θ２が浅過ぎると、最深部５６ｄの位置を前後方向中央ＣＬ近傍に設計し難くなるとともに、最深部５６ｄ近傍における吸収コア５６の側縁の角度変化が急激になり、装着感が悪化するおそれがある。また、これらの交差角度θ１，θ２が深過ぎると吸収コア５６の幅が急激に狭くなることにより装着感が悪化するおそれがある。
【００３０】
さらに、括れ部５６Ｎの両側縁は、前後方向後端側に位置する後端側円弧状部分Ｎ１と、前後方向前端側に位置する前端側円弧状部分Ｎ２と、これらの間にあって後端側円弧状部分Ｎ１の前端と前端側円弧状部分Ｎ２の後端とを結ぶ直線状部分Ｎ３とからなり、且つ後端側円弧状部分Ｎ１の曲率半径Ｒ１が前端側円弧状部分Ｎ２の曲率半径Ｒ２よりも大きく、直線部分Ｎ３は前後方向前側に向かうにつれて括れ部５６Ｎの幅が広くなるように傾斜されており、且つ後端側円弧状部分Ｎ１の前後方向中間位置に最深部５６ｄが位置されていると、上記効果がより一層のものとなる。
すなわち、吸収コア５６の括れ部５６Ｎがこのような二段階の括れを有していると、装着者の脚が前側に動いた際には、脚が円滑かつ緩やかに幅が狭まる前端側円弧状部分Ｎ２及び直線状部分Ｎ３に当たり、脚の移動力が弱く且つ緩やかに内装体２０に対して作用するようになる。一方、装着者の脚が後側に動いた際には、後端側円弧状部分Ｎ１が一段階深く形成されているため、脚が後端側円弧状部分Ｎ１に当たり難くなり、内装体２０に対して作用する力は、脚が前側に移動する場合と比べて格段に弱くなる。
【００３１】
なお、吸収コア５６の好ましい寸法関係は次のとおりである。
(1)  １．５  ≦  Ｌ１／（Ｌ２＋Ｌ３）  ≦  １０．０
Ｌ１／（Ｌ２＋Ｌ３）が１．５より小さいと、製品端〜吸収体までの距離が短く、腹モレし易くなり、１０より大きいと、Ｌ２の長さが短すぎてメクレ・折れが生じ易くなり、また、製造不良が発生し易くなる。
(2)  ０  ＜  Ｌ３  ＜  Ｌ１
Ｌ３が０であると脚の動きの起点位置まで括れ部５６Ｎが無いことになり、脚の動きが抑制されるようになる。
(3)  １．５  ≦  （Ｌ３＋Ｌ４）／Ｌ５  ≦  ３．５
（Ｌ３＋Ｌ４）／Ｌ５が１．５より小さいと、最深部５６ｄの位置を前後方向中央ＣＬ近傍に確保し難くなり、３．５より大きいと、ウエスト開口部から吸収コア５６までの距離が短くなり、腹漏れし易くなる。
(4)  １．０  ＜  Ｌ７／Ｌ８  ≦  ２．０
Ｌ７／Ｌ８が１．０より小さいと、Ｌ２・Ｌ６の長さが短すぎてメクレ・折れが生じ易くなり、また、製造不良が発生し易くなる。一方、Ｌ７／Ｌ８が２．０より大きいと脚の動きの起点位置まで括れ部５６Ｎが無いことになり、脚の動きが抑制されるようになる。
(5)  １．１  ＜  Ｗ１／Ｗ２  ≦２．０
Ｗ１／Ｗ２が１．１以下であると括れ部５６Ｎが浅く、股間部のフィット性が不十分となり易く、２．０より大きいと、最深部５６ｄにおける幅が狭すぎ、吸収コア強度が不足するおそれがある。
【００３２】
（高吸収性ポリマー粒子）
高吸収性ポリマー粒子とは、「粒子」以外に「粉体」も含む。高吸収性ポリマー粒子の粒径は、この種の吸収性物品に使用されるものをそのまま使用でき、１０００μｍ以下、特に１５０〜４００μｍのものが望ましい。高吸収性ポリマー粒子の材料としては、特に限定無く用いることができるが、吸水量が４０ｇ／ｇ以上のものが好適である。高吸収性ポリマー粒子としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子の形状としては、通常用いられる粉粒体状のものが好適であるが、他の形状のものも用いることができる。
高吸収性ポリマー粒子としては、吸水速度が４０秒以下のものが好適に用いられる。吸水速度が４０秒を超えると、吸収コア５６内に供給された液が吸収コア５６外に戻り出てしまう所謂逆戻りを発生し易くなる。
また、高吸収性ポリマー粒子としては、ゲル強度が１０００Ｐａ以上のものが好適に用いられる。これにより、嵩高な吸収コア５６とした場合であっても、液吸収後のべとつき感を効果的に抑制できる。
高吸収性ポリマー粒子の目付け量は、当該吸収コア５６の用途で要求される吸収量に応じて適宜定めることができる。したがって一概には言えないが、５０〜３５０ｇ／ｍ2とすることができる。ポリマーの目付け量が５０ｇ／ｍ2未満では、吸収量を確保し難くなる。３５０ｇ／ｍ2を超えると、効果が飽和する。
必要であれば、高吸収性ポリマー粒子は、吸収コア５６の平面方向で散布密度あるいは散布量を調整できる。たとえば、液の排泄部位を他の部位より散布量を多くすることができる。男女差を考慮する場合、男用は前側の散布密度（量）を高め、女用は中央部の散布密度（量）を高めることができる。また、吸収コア５６の平面方向において局所的（例えばスポット状）にポリマーが存在しない部分を設けることもできる。
【００３３】
（包被シート）
包被シート５８を用いる場合、その素材としては、ティッシュペーパ、特にクレープ紙、不織布、ポリラミ不織布、小孔が開いたシート等を用いることができる。ただし、高吸収性ポリマー粒子が抜け出ないシートであるのが望ましい。クレープ紙に換えて不織布を使用する場合、親水性のＳＭＭＳ（スパンボンド／メルトブローン／メルトブローン／スパンボンド）不織布が特に好適であり、その材質はポリプロピレン、ポリエチレン／ポリプロピレンなどを使用できる。目付けは、５〜４０ｇ／ｍ2、特に１０〜３０ｇ／ｍ2のものが望ましい。
この包被シート５８は、図２のように、吸収コア５６全体を包む形態のほか、その層の裏面及び側面のみを包被するものでもよい。また図示しないが、吸収コア５６の上面及び側面のみをクレープ紙や不織布で覆い、下面をポリエチレンなどの液不透過性シートで覆う形態、吸収コア５６の上面をクレープ紙や不織布で覆い、側面及び下面をポリエチレンなどの液不透過性シートで覆う形態などでもよい（これらの各素材が包被シートの構成要素となる）。必要ならば、吸収コア５６を、上下２層のシートで挟む形態や下面のみに配置する形態でもよいが、高吸収性ポリマー粒子の移動を防止でき難いので望ましい形態ではない。
【００３４】
（股間部外装シート）
内装体２０の裏面側には、製品外面に露出する股間部外装シート１２Ｍが設けられている。この股間部外装シート１２Ｍの素材としては、腹側外装シート１２Ｆ及び背側外装シート１２Ｂと同様のものを用いることができるが、より高強度の素材や消臭剤を含有するもの等、腹側外装シート１２Ｆ及び背側外装シート１２Ｂとは異なる素材を用いることもできる。具体的には、ＰＰ、ＰＰ／ＰＥ、ＰＰ／ＰＥＴ等の繊維からなる、スパンボンド不織布、メルトブロー不織布、ポイントボンド不織布、エアスルー不織布、エアーポイント不織布、スパンレース不織布、ＳＭＳ不織布等の各種不織布、あるいはこれに消臭剤等を添加したもの等を用いることができる。
股間部外装シート１２Ｍには座位時に高い体圧がかかる。よって、摩擦堅牢度の高い（毛羽立たない）特性を有する素材が好ましく、特に以下の摩擦堅牢度試験で「◎」または「○」の評価が得られるものを用いるのが好ましい。
（摩擦堅牢度試験）
摩擦堅牢度は、ＪＩＳ Ｌ ０８４９に準拠し、次の方法で測定する。すなわち、２５０ｍｍ×２５ｍｍの摩擦堅牢度測定用シート片を作成し、測定用シート片の外面側（内装体の外面側）の摩擦堅牢度を測定する。摩擦堅牢度の測定には、例えばＣＯＬＯＲ ＦＡＳＴＮＥＳＳ ＲＵＢＢＩＮＧ ＴＥＳＴＥＲ（テスター産業株式会社製、型式；ＡＢ−３０１）を使用することができる。測定は、摩擦試験機ＩＩ型を使用し、５０回の振動を加えて行う。試験の結果得られる測定用シート片を目視にて限度見本と比較し、{◎：よれ玉および毛羽立ち無し○：よれ玉無し、毛羽立ちあり△：よれ玉あり、毛羽立ちあり×：不織布が破断}の４段階で評価する。
股間部外装シート１２Ｍは、印刷や着色を行い、デザイン要素を備えたシートとしてもよい。前述のデザインシートと併用する場合は、それぞれのデザインが重ならないように配置することが好ましい。
股間部外装シート１２Ｍとして伸縮不織布を用い、内装体２０の長手方向に伸長して貼り付けると、股間部のフィット性が向上するため好ましい。
吸収コア５６が、繊維目付１００ｇ／ｍ2以下で高吸収ポリマー目付が１００ｇ／ｍ2以上の超薄型吸収コアである場合、吸収コア５６のコシが無いため、はかせやすさを低下させないように股間部においてコシを強化する必要がある。一方、腹部及び背部においてはコシはあまり必要ではない。従って、このような形態においては、股間部外装シート１２Ｍに剛度（コシ度）の高いシートを用いることが好ましい。具体的には、クラーク法（ＪＩＳＬ１０９６ Ｃ法）によって測定される剛軟度の、シートのＭＤ方向とＣＤ方向との和が１００ｍｍ以上、好ましくは１５０ｍｍ以上のシートを用いるとよい。
図示例では、腹側及び背側外装シート１２Ｆ，１２Ｂと内装体２０とが重なる部分において、股間部外装シート１２Ｍは内装体２０と腹側及び背側外装シート１２Ｆ，１２Ｂとの間に挟まれているが、腹側及び背側外装シート１２Ｆ，１２Ｂの外側に貼り付けることも可能である。股間部外装シート１２Ｍは、ホットメルト接着剤等により内装体２０の裏面、並びに腹側及び背側外装シート１２Ｆ，１２Ｂの内面若しくは外面に貼り付けられる。
【産業上の利用可能性】
【００３５】
本発明は、予めパンツ型に形成されてなるパンツ型使い捨ておむつに適用できるものである。
【図面の簡単な説明】
【００３６】
【図１】使い捨ておむつの内面を示す、おむつを展開した状態における平面図である。
【図２】使い捨ておむつの外面を示す、おむつを展開した状態における平面図である。
【図３】図１の３−３断面図である。
【図４】図１の４−４断面図である。
【図５】図１の５−５断面図である。
【図６】使い捨ておむつの要部のみを寸法とともに示す、おむつを展開した状態における平面図である。
【図７】製品状態の正面図である。
【図８】製品状態の背面図である。
【符号の説明】
【００３７】
１０…内装体、１２…外装シート、１２Ｆ…腹側外装シート、１２Ｂ…背側外装シート、１３…背側本体部、１４…背側延出部、１５…第１の細長状弾性伸縮部材、１６…第２の細長状弾性伸縮部材、２０…内装体、５６…吸収コア、５６Ｆ…吸収コア前端部、５６Ｂ…吸収コア後端部、５６Ｎ…括れ部、５６ｄ…最深部。
【図１】
2008253285.tif 000003
【図２】
2008253285.tif 000004
【図３】
2008253285.tif 000005
【図４】
2008253285.tif 000006
【図５】
2008253285.tif 000007
【図６】
2008253285.tif 000008
【図７】
2008253285.tif 000009
【図８】
2008253285.tif 000010